(57)【要約】【課題】新たに窓穴部分を設けて窓穴面積を多くして適度の薬剤揮散性を有する防虫剤用の紙成形容器を提供すること。【解決手段】適量の窓穴（１５）が穿設された側部（１１）と底部（１２）を一体に成形したフランジ（１３）を有する二つのトレー状容器（１０、１０）の開口面同士を対向させてフランジ同士を熱融着させて中央の空間部分に薬剤シート保持部（１４）を形成させた、紙を主体とする複合シートからなる紙成形容器（１００）において、前記紙成形容器の両側部に該紙成形容器を貫通する空洞（１６）が設けられている。また、二つのトレー状容器の一方のトレー状容器の底部に穴（１７）を穿設しても良い。【選択図】図１
2004159562.tif 000002
【特許請求の範囲】
【請求項１】
適量の窓穴が穿設された側部と底部を一体に成形したフランジを有する二つのトレー状容器の開口面同士を対向させてフランジ同士を熱融着させて中央の空間部分に薬剤シート保持部を形成させた、紙を主体とする複合シートからなる紙成形容器において、
前記紙成形容器の両側部に該紙成形容器を貫通する空洞が設けられていることを特徴とする、防虫剤用紙成形容器。
【請求項２】
前記二つのトレー状容器の一方のトレー状容器の底部に穴が穿設されていることを特徴とする、請求項１記載の防虫剤用紙成形容器。
【請求項３】
前記紙を主体とする複合シートは、内面側より熱可塑性樹脂層／成形用用紙、又は、熱可塑性樹脂層／成形用用紙／熱可塑性樹脂層が順次積層された複合シートから成ることを特徴とする、請求項１又は２記載の防虫剤用紙成形容器。
【請求項４】
前記底部にインジケーター保持部が形成されていることを特徴とする、請求項１、２又は３記載の防虫剤用紙成形容器。
【発明の詳細な説明】
【０００１】
【発明の属する技術分野】
本発明は、防虫剤用の紙成形容器に関するものである。
【０００２】
【従来の技術】
防虫剤容器として、従来、プラスチック製の成形容器が知られていた。この場合には、上容器にも下容器にも薬剤を揮散させるための細かい孔を多数設けることが可能であったが、使用後の容器の廃棄問題等からプラスチック製に代わる廃棄が容易な容器が要求されていた。
【０００３】
その要求を満たす容器の一つとして、例えば、紙成形容器がある。しかしながら紙成形容器は、抜き適性の問題や容器にテーパーを付ける必要があり、薬剤を適度に揮散させるための細かい孔を多数拵えることは、従来孔を開けていた面の面積が小さくなる問題があり、薬剤を適度に揮散させるためには窓孔面積が不足していた。
【０００４】
【発明が解決しようとする課題】
本発明は、防虫剤用の紙成形容器に関する以上のような問題を解決するためになされたもので、新たに窓穴部分を設けて窓穴面積を多くして適度の薬剤揮散性を有する防虫剤用の紙成形容器を提供することを課題とする。
【０００５】
【課題を解決するための手段】
本発明の請求項１の発明は、適量の窓穴が穿設された側部と底部を一体に成形したフランジを有する二つのトレー状容器の開口面同士を対向させてフランジ同士を熱融着させて中央の空間部分に薬剤シート保持部を形成させた、紙を主体とする複合シートからなる紙成形容器において、前記紙成形容器の両側部に該紙成形容器を貫通する空洞が設けられていることを特徴とする、防虫剤用紙成形容器である。
【０００６】
このように請求項１記載の発明によれば、紙成形容器の両側部に窓穴とは別に紙成形容器を貫通する空洞が設けられているので、窓穴面積が多くなり、適度の薬剤揮散性を発揮することができる。
【０００７】
また、請求項２の発明は、請求項１の発明において、前記二つのトレー状容器の一方のトレー状容器の底部に穴が穿設されていることを特徴とする、防虫剤用紙成形容器である。
【０００８】
このように請求項２記載の発明によれば、二つのトレー状容器の一方のトレー状容器の底部に穴が穿設されているので、薬剤の揮散性はさらに向上する。
【０００９】
また、請求項３の発明は、請求項１又は２の発明において、前記紙を主体とする複合シートは、内面側より熱可塑性樹脂層／成形用用紙、又は、熱可塑性樹脂層／成形用用紙／熱可塑性樹脂層が順次積層された複合シートから成ることを特徴とする、防虫剤用紙成形容器である。
【００１０】
このように請求項３記載の発明によれば、紙を主体とする複合シートは、内面側より熱可塑性樹脂層／成形用用紙、又は、熱可塑性樹脂層／成形用用紙／熱可塑性樹脂層が順次積層された複合シートから成るので、二つのトレー状容器の開口部を対向させてフランジの内側面同士を熱融着させることができる。
【００１１】
また、請求項４の発明は、請求項１、２又は３の発明において、前記底部にインジケーター保持部が形成されていることを特徴とする、防虫剤用紙成形容器である。
【００１２】
このように請求項４記載の発明によれば、底部にインジケーター保持部が形成されているので、インジケーターを収納することができ、薬剤の揮散効果を目で確認することができる。
【００１３】
【発明の実施の形態】
本発明の防虫剤用紙成形容器を一実施形態に基づいて以下に詳細に説明する。
本発明の防虫剤用紙成形容器は、例えば図１（ａ）、（ｂ）、（ｃ）に示すように、側部（１１）と底部（１２）を一体に成形したフランジ（１３）を有する二つのトレー状容器（１０、１０）の開口面同士を対向させてフランジ（１３）同士を熱融着させた紙を主体とする複合シート（２０）からなる紙成形容器（１００）であり、二つのトレー状容器（１０、１０）の各々の側部（１１）と底部（１２）に囲まれて薬剤シート保持部（１４）が形成されている。
そして、紙成形容器の両側部に該紙成形容器を貫通する空洞（１６）が設けられた構造を有する。
【００１４】
トレー状容器（１０）は、紙を主体とする複合シート（２０）をプレス成形法、真空成形法、真空圧空成形法等の公知の成形法を用いて成形することができる。
【００１５】
トレー状容器（１０）の側部には、薬剤シート（３０）から揮散されたガスが容器の外部に発散するための窓穴（１５）が多数穿設されている。
【００１６】
二つのトレー状容器（１０、１０）の開口部を対向させてフランジ（１３）同士を熱融着して紙成形容器（１００）とするが、紙成形容器の両側部のフランジ（１３）同士を部分的に熱融着しなかった場合、その個所は通気性を有し空洞（１６）となる。
【００１７】
また、図１、図３に示すようにフランジ（１３）を部分的に凸状に形成させて開口孔とした空洞（１６）としても良い。
【００１８】
二つのトレー状容器（１０）の一方のトレー状容器（１０）の底部に、穴（１７）を形成させても薬剤シート（３０）からの揮散されたガスの揮散性は向上する。
【００１９】
複合シート（２０）は、容器内面側より熱可塑性樹脂層（２２）／成形用用紙（２１）、又は、熱可塑性樹脂層（２２）／成形用用紙（２１）／熱可塑性樹脂層（２２）が順次積層された構成からなる（図４、図５参照）。
【００２０】
成形用用紙（２１）としては、カップ原紙、モールドペーパー（例えば、ＮＰｉモールドペーパー；日本製紙株式会社製）等が好ましく使用できる。
【００２１】
この成形用用紙（２１）の内面側にポリエチレンテレフタレート樹脂（ＰＥＴ）、ポリブチレンテレフタレート樹脂（ＰＢＴ）、ポリプロピレン樹脂（ＰＰ）等の熱可塑性樹脂（２２）を１層以上積層して複合シート（２０）とする。
又は、成形用用紙（２１）の外面側にも上記の熱可塑性樹脂（２２）を積層した複合シート（２０）としても良い。
【００２２】
トレー状容器の底部（１２）に、薬剤シート保持部（１４）とは別にインジケータ保持部（１８）を設けても良い。
インジケータ保持部（１８）にはインジケータの状況が目視できる窓穴（１９）が穿設されている。
インジケータ保持部（１８）を設けることにより、インジケータ（４０）を収納することができ、薬剤シートの揮散効果の有無を常に確認することができる。
【００２３】
図３（ａ）、（ｂ）、（ｃ）は本発明の防虫剤用紙成形容器の別の実施例を示す、説明図である。この図に示すように、二つのトレー状容器の開口面同士を対向させてフランジ同士を熱融着させて薬剤シート保持部を形成させるのではなく、一つのトレー状容器の開口面に成形前の複合シート（２０）を被せてフランジを熱融着させて紙成形容器とすることもできる。
【００２４】
【実施例】
以下実施例により本発明を詳細に説明する。
《実験１》
〈実施例１〉
先ず、成形用用紙（２１）として坪量２７５ｇ／ｍ２  のＮＰｉモールドペーパー（日本製紙株式会社製）を、また、熱可塑性樹脂層（２２）として厚さ３０μｍのＰＢＴフィルムをそれぞれ準備した。
【００２５】
準備した成形用用紙（２１）と熱可塑性樹脂（２２）を用いてドライラミネート法により、〔容器内面側〕ＰＢＴフィルム（３０μｍ）／モールドペーパー（２７５ｇ／ｍ２  ）／ＰＢＴフィルム（３０μｍ）〔容器外面側〕の３層構成からなる複合シート（２０）を作製した。
【００２６】
この複合シート（２０）を所要の寸法に裁断後、プレス成形法によりトレー状容器（１０）に成形し、二つのトレー状容器の開口面を合わせて（薬剤シートとインジケータを挿入後）フランジを熱融着して、図１に示す形状の実施例１の防虫剤用紙成形容器を作製した。なお、窓穴（１５）はあらかじめ一般的に公知の打抜機により穿設しておいた。
【００２７】
〈実施例２〉
最終形状が図２に示す天面に窓穴（１７）が穿設された形状とした以外は実施例１と同じ複合シートを用いて、同じ成形方法により実施例２の防虫剤用紙成形容器を作製した。
【００２８】
〈比較例１〉
市販のプラスチック成形容器を準備した。
【００２９】
〈比較例２〉
基本的には実施例１の複合シートを使用し、実施例１のプレス型を用いてフランジは全面熱融着させ、紙成形容器の両側部に空洞がない比較例２の防虫剤用紙成形容器を作製した。
【００３０】
このようにして作製した実施例２種類、比較例２種類、合計４種類の防虫剤用容器の薬剤の揮散性、窓穴の数（多いほど良い）、窓穴総面積、天地の面の窓穴の大きさ（一つ一つは小さいほど良い、大きすぎると衣類が薬剤シートに触れるので不良）を下記の方法により観察、測定した。その結果を表１に示す。
薬剤の揮散性  ‥  容器に薬剤シートをセットして加温促進テスト後、容器と薬剤シートに含有される薬剤成分をガスクロマトグラフにより定量する。揮散量＝（薬剤シート初期値）−（促進テスト後の容器含有量＋薬剤シート含有量）
○：揮散量が適度
△：揮散量が少し不足
窓穴の数      ‥  加工機／材料／容器形状に対して、窓あけ可能な最大数を目視観察
◎：非常に細かく多数
○：適度に多数
△：少し不足
窓穴総面積    ‥  加工機／材料／容器形状に対して、窓あけ可能な最大面積
○：薬剤揮散のための適度な窓穴面積
△：不足している
天地の面の窓穴の大きさ‥どれだけ細かくあけられるか
○：適度に細かくあけられる
×：総面積を拡げるため一つ一つの窓穴サイズを大きくするしかない。
【００３１】
【表１】
2004159562.tif 000003
【００３２】
《実験２》
〈実施例３〉
実施例１で用いた複合シートと同じ複合シート、すなわち、ＰＢＴフィルム（３０μｍ）／モールドペーパー（２７５ｇ／ｍ２  ）／ＰＢＴフィルム（３０μｍ）の３層構成からなる複合シートを作製し、実施例３の複合シートとした。
【００３３】
〈実施例４〉
熱可塑性樹脂層として厚さ１２μｍのＰＥＴフィルムを準備し、このＰＥＴフィルムを実施例１と同じモールドペーパーの両面に溶融ポリエチレン樹脂を介して積層し、ＰＥＴフィルム（１２μｍ）／ＰＥ（２０μｍ）／モールドペーパー（２７５ｇ／ｍ２  ）／ＰＥ（２０μｍ）／ＰＥＴフィルム（１２μｍ）の構成からなる実施例４の複合シートを作製した。
【００３４】
〈実施例５〉
容器外面側をＰＢＴフィルムの代わりに厚さ３０μｍのＰＰフィルムを使用した以外は実施例１と同じ構成の複合シート、すなわち、ＰＢＴフィルム（３０μｍ）／モールドペーパー（２７５ｇ／ｍ２  ）／ＰＰフィルム（３０μｍ）の層構成からなる複合シートを作製し、実施例５の複合シートとした。
【００３５】
〈実施例６〉
成形用用紙として坪量２７０ｇ／ｍ２  のカップ原紙を使用し、容器内面側に溶融ポリエチレン樹脂を介して厚さ１２μｍのＰＥＴフィルムを積層し、ＰＥＴフィルム（１２μｍ）／ＰＥ（２０μｍ）／カップ原紙（２７０ｇ／ｍ２  ）の層構成の実施例６の複合シートを作製した。
【００３６】
〈比較例１〉
市販のＡ−ＰＥＴシートを準備した。
【００３７】
このようにして作製した実施例４種類、比較例１種類、合計５種類のシートから図１に示す形状の防虫剤用容器をプレス成形法により作製し、成形性、薬剤の吸着性、抜き適性を下記の方法により測定、観察した。その結果を表２に示す。
成形性  ‥  目視観察
◎：しわ、破れがない
○：しわが発生するが破れはない
薬剤の吸着性‥容器に薬剤をセットして外装包材で密封して加温促進テスト後、容器と薬剤シートと外装包材に含有される薬剤成分をガスクロマトグラフにより定量する。吸着量＝（薬剤シート初期値）−（促進テスト後の容器含有量＋薬剤シート含有量＋外装包材含有量）
○：吸着量≒０
抜き適性‥  打抜機での窓穴のあけ具合を目視観察
◎：非常に小さい穴を多数あけられる
○：適度に小さい穴を多数あけられる
【００３８】
【表２】
2004159562.tif 000004
【００３９】
【発明の効果】
上記のように、本発明の防虫剤用紙成形容器は、側面に窓穴を設けたため、天地の面の窓穴寸法を小さめに設けることができる。また、側面の窓穴寸法は幾分大きくても衣服等に接触しにくい。
従って、本発明の防虫剤用紙成形容器は、従来のプラスチック成形容器に比較して同等の薬剤揮散性を有し、かつ、成形性や窓穴の抜き適性もプラスチック成形容器と比較して遜色ない。
【図面の簡単な説明】
【図１】本発明の防虫剤用紙成形容器の一実施例を示す、（ａ）は平面説明図であり、（ｂ）は（ａ）のＡ−Ａ’線断面説明図であり、（ｃ）は（ａ）のＢ−Ｂ’線断面説明図である。
【図２】本発明の防虫剤用紙成形容器の別の実施例を示す、平面説明図である。
【図３】本発明の防虫剤用紙成形容器のさらに別の実施例を示す、（ａ）は平面説明図であり、（ｂ）は（ａ）のＡ−Ａ’線断面説明図であり、（ｃ）は（ａ）のＢ−Ｂ’線断面説明図である。
【図４】本発明の防虫剤用紙成形容器に使用する複合シートの層構成の一実施例を示す、断面説明図である。
【図５】本発明の防虫剤用紙成形容器に使用する複合シートの層構成の別の実施例を示す、断面説明図である。
【符号の説明】
１０‥‥トレー状容器
１１‥‥側部
１２‥‥底部
１３‥‥フランジ
１４‥‥薬剤シート保持部
１５‥‥窓穴
１６‥‥空洞
１７‥‥穴
１８‥‥インジケータ保持部
２０‥‥複合シート
２１‥‥成形用用紙
２２‥‥熱可塑性樹脂層
３０‥‥薬剤シート
４０‥‥インジケータ
１００‥‥熱成形容器
【図１】
2004159562.tif 000005
【図２】
2004159562.tif 000006
【図３】
2004159562.tif 000007
【図４】
2004159562.tif 000008
【図５】
2004159562.tif 000009